(57)【要約】【課題】法面上に植物育成に十分な量の植生材を保持し得る法面緑化工法を提供し、法面の早期緑化や樹木による緑化を容易に実現可能とする。【解決手段】モルタル等によって格子状の法枠２８が形成された法面２１の緑化を行う。法枠２８の横枠上辺３９に沿って、全体が波形形状に屈曲形成され、法面２１の上下方向に沿った断面が略半円形状となった第１曲面部３２が設けられた金属製の網状体３１を載置する。網状体３１は固定部３５がアンカーピンによって法面２１に固定される。第１曲面部３２内には法面２１との間に植生材収容部４４が形成され、植生材収容部４４には植物生育用の植生材４１が客土される。植生材４１は法枠２８内に植栽層４５を形成すると共に、植生材収容部４４内に堆積する。第１曲面部３２の頂部に形成された植込孔４３から植物苗４２を植え付け、植生材４１に混入された植物種子と共に法面２１の緑化を行う。【選択図】　　　図１
2004044308.tif 000002
【特許請求の範囲】
【請求項１】
セメント系硬化材によって格子状の法枠が形成された法面の緑化工法であって、
前記法枠の横枠上辺に沿って、前記法面の上下方向に沿った断面が略半円形状となった曲面部を有する金属製の網状体を載置し、
前記曲面部内に形成される空隙に植物生育用の植生材を客土し、
前記植生材中に植物苗又は植物種子の少なくとも何れか一方を植え付けることを特徴とする法面緑化工法。
【請求項２】
セメント系硬化材によって格子状の法枠が形成された法面の緑化工法であって、
前記法枠の横枠上辺に沿って、前記法面の上下方向に沿った断面がＬ字形状に形成された金属製の網状体を載置し、
前記網状体と前記法面との間に形成される空隙に植物生育用の植生材を客土し、
前記基盤材中に植物苗又は植物種子の少なくとも何れか一方を植え付けることを特徴とする法面緑化工法。
【請求項３】
網部材を有する枠体を格子状に設置すると共に、前記枠体にセメント系硬化材を打設することにより格子状の法枠が形成された法面の緑化工法であって、
前記枠体の横枠上辺に沿って配置された前記網部材を延設して前記法面上に金属製の網状体を立設し、
前記網状体と前記法面との間に形成される空隙に植物生育用の植生材を客土し、
前記基盤材中に植物苗又は植物種子の少なくとも何れか一方を植え付けることを特徴とする法面緑化工法。
【発明の詳細な説明】
【０００１】
【発明の属する技術分野】
本発明は、法面の緑化工法に関し、特に、金属製の網状体を用いて植物生育用の植生材を法面上に保持する法面緑化工法に関する。
【０００２】
【従来の技術】
道路や宅地造成地などにおいては、その法面安定化のため、斜面上に格子状に枠体を配置し、コンクリートやモルタル等のセメント系硬化材（以下、モルタル等と略記する）を打設する工法が広く用いられている。そこではまず、法面上に金網等の網状部材が敷設され、その上に鋼棒等から形成された枠体が格子状に設置される。枠体内には鉄筋が配設されると共に、格子点部分などには地盤に打ち込まれたアンカーが設置される。枠体にはモルタル等が吹き付けられ、法面上には枠体が埋め込まれた格子状の法枠が構築される。この法枠内には植物生育用の植生材が客土され、そこに植物苗や植物種子を植え付けることによって緑化され法面の早期安定化が図られる。
【０００３】
【発明が解決しようとする課題】
しかしながら、法枠内の植生材は法枠の横枠部分に堆積し、客土当初は安定して存在するものの、降雨等によって流亡し易く効果的な法面緑化が行えないという問題があった。植生材の流亡により法面には草程度の植物しか生育せず、景観や法面安定のために有効とされる樹木の育成が妨げられ、その改善が望まれていた。この場合、法面自体に樹木苗を移植すればかかる問題も生じないが、法面に網状部材を敷設する以前に樹木苗を移植しなければならず、作業効率が悪く、また、作業負担も大きいという問題がある。
【０００４】
本発明の目的は、法面上に植物育成に十分な量の植生材を保持し得る法面緑化工法を提供し、法面の早期緑化や樹木による緑化を容易に実現可能とすることにある。
【０００５】
【課題を解決するための手段】
本発明の法面緑化工法は、セメント系硬化材によって格子状の法枠が形成された法面の緑化工法であって、前記法枠の横枠上辺に沿って、前記法面の上下方向に沿った断面が略半円形状となった曲面部を有する金属製の網状体を載置し、前記曲面部内に形成される空隙に植物生育用の植生材を客土し、前記植生材中に植物苗又は植物種子の少なくとも何れか一方を植え付けることを特徴とする。
【０００６】
本発明にあっては、空隙内に堆積した植生材が網状体によって保持されるため、法面の傾斜が急な場合でも流亡しにくく、植物苗等を安定的に定着させることができる。このため、樹木による法面緑化を容易かつ効果的に行うことができ、法面の早期安定緑化が図られる。また、網状体は法面上に容易に取り付け可能なため、施工工数の削減や工期の短縮が図られる。さらに、網状体には比較的大量の植生材が保持されるため、根張りを要する樹木をも法面上に移植することができ、法面緑化が効果的に行われる。
【０００７】
本発明の他の法面緑化工法は、セメント系硬化材によって格子状の法枠が形成された法面の緑化工法であって、前記法枠の横枠上辺に沿って、前記法面の上下方向に沿った断面がＬ字形状に形成された金属製の網状体を載置し、前記網状体と前記法面との間に形成される空隙に植物生育用の植生材を客土し、前記基盤材中に植物苗又は植物種子の少なくとも何れか一方を植え付けることを特徴とする。
【０００８】
本発明にあっても、空隙内に堆積した植生材は網状体によって保持されるため、法面の傾斜が急な場合でも流亡しにくく、植物苗等を安定的に定着させることができ、樹木による法面緑化が容易かつ効果的に行われ、法面の早期安定緑化がが図られる。また、網状体は法面上に容易に取り付け可能なため、施工工数の削減や工期の短縮が図られる。さらに、網状体には比較的大量の植生材が保持されるため、根張りを要する樹木をも法面上に移植することができ、法面緑化が効果的に行われる。
【０００９】
本発明の他の法面緑化工法は、網部材を有する枠体を格子状に設置すると共に、前記枠体にセメント系硬化材を打設することにより格子状の法枠が形成された法面の緑化工法であって、前記枠体の横枠上辺に沿って配置された前記網部材を延設して前記法面上に金属製の網状体を立設し、前記網状体と前記法面との間に形成される空隙に植物生育用の植生材を客土し、前記基盤材中に植物苗又は植物種子の少なくとも何れか一方を植え付けることを特徴とする。
【００１０】
本発明にあっても、空隙内に堆積した植生材は網状体によって保持されるため、法面の傾斜が急な場合でも流亡しにくく、植物苗等を安定的に定着させることができ、樹木による法面緑化が容易かつ効果的に行われ、法面の早期安定緑化がが図られる。また、網状体が法枠を構成する枠体の一部によって形成されるため、網状体を法面上にきわめて容易に設置可能であり、施工工数の削減や工期の短縮が図られる。さらに、網状体には比較的大量の植生材が保持されるため、根張りを要する樹木をも法面上に移植することができ、法面緑化が効果的に行われる。
【００１１】
【発明の実施の形態】
（実施の形態１）
以下、本発明の実施の形態を図面に基づいて詳細に説明する。図１は本発明の実施の形態１である法面緑化工法を適用した法面の状態を示す説明図、図２は図１の法面の断面図、図３は図１の法面の法枠構成を示す説明図、図４は図３の法枠に使用される枠体の構成を示す斜視図である。
【００１２】
本発明の緑化工法では、図１，２に示すように、モルタル等によって格子状の法枠２８が形成された法面２１に網状体３１を設置し、そこに植生材４１を客土し、植物苗４２を植え付ける。法枠２８は、図３に示すように、枠体１を法面２１に格子状に配置し、これをモルタル等を吹き付けて盛土状に形成される。枠体１は、図４に示すように、複数のサポート体２と、サポート体２の両側部に対向配置された側網（網部材）３とから構成されている。枠体１は、長手方向が１０００〜３０００ｍｍ、幅が２００〜３５０ｍｍ、高さが１００〜２００ｍｍとなっており、法枠２８の一辺を形成する。
【００１３】
サポート体２は、直径３〜４ｍｍ程度の鋼棒（金属線材）によって形成される。サポート体２の両側部には、法面設置時に法面と垂直方向に伸びる一対の脚部１１が設けられている。脚部１１の上方には、鉄筋保持部１２が脚部１１と連続的に曲げ形成されている。脚部１１の上端部同士の間には、鋼棒からなる鉄筋保持部１３が溶接されている。鉄筋保持部１２，１３は波形形状に屈曲形成されており、波形部分の凹部に鉄筋１４が収容保持される。サポート体２の脚部１１の外側にはそれぞれ、エキスパンドメタル等によって形成された金属製の側網３が取り付けられる。側網３の下部にはストッパ１５が屈曲形成されており、枠体１を法面上に敷設した際に、枠体１が地面に埋没するのを防止している。
【００１４】
法枠２８の構築に際しては、まず、法面２１上に菱形金網２２を敷設し、その上に枠体１を縦横格子状に配置して格子枠体２３を形成する。菱形金網２２は、図示しないアンカーによって適宜法面２１に固定される。なお、菱形金網２２に代えて、合成樹脂製のネットを用いることも可能である。また、格子枠体２３の格子点位置には交点アンカー（図示せず）が、各辺部分には補助アンカー（図示せず）がそれぞれ打ち込まれ、格子枠体２３は法面２１上に固定される。格子枠体２３では、サポート体２の鉄筋保持部１２，１３上に鉄筋１４が載置される。
【００１５】
格子枠体２３を構築した後、その横枠の山側に網状体３１を設置する。そして、鉄筋１４および枠体１を埋め込むようにモルタル（セメント系硬化材）２７をモルタルガンなどによって吹き付ける。なお、格子枠体２３の内側には合成樹脂製の養生シート２６を敷設し、網状体３１等のモルタル非吹き付け部分を養生する。養生シート２６はモルタル等が硬化した後取り外される。これにより、モルタル２７を断面略半円形状に盛り上げた法枠２８が格子状に形成される。
【００１６】
ここで、網状体３１は、図１，２に示すように、全体が波形に屈曲した形態となっており、例えば、板厚１．６ｍｍ、目合いが縦１６ｍｍ×横３２ｍｍ程度のエキスパンドメタルによって、幅９００ｍｍｎ×奥行６５０ｍｍ程度に形成されている。網状体３１には、法面２１の上下方向に沿った断面が略半円形状となった第１及び第２曲面部３２，３３が設けられている。第１曲面部３２の高さは２００ｍｍ、直径は３５０ｍｍ程度に形成される。第１曲面部３２の頂面には、植物苗を植え付けるための植込孔４３が形成されている。
【００１７】
第２曲面部３３の上方端部、すなわち網状体３１の上辺３４側には平板状の固定部３５となっている。この固定部３５は５０ｍｍ程度の幅に形成され、図２に示すように、アンカーピン３６によって法面２１上に固定される。このような網状体３１は法枠２８の横枠３８に沿って配置され、その下辺３７が横枠３８の山側に位置する上辺３９に接する形で載置される。そして、法枠２８内に網状体３１を載置すると、第１曲面部３２の内側には、図２に示すように法面２１との間に植生材収容部（空隙）４４が形成される。
【００１８】
なお、網状体３１の下辺３７にも固定部３５と同様の平板部を設け、格子枠体２３の下に挿入しても良い。また、第２曲面部３３を設けることなく第１曲面部３２の端部に固定部３５を設けても良い。さらに、固定部３５を省き、第２曲面部３３の端部（第２曲面部３３を省略した場合には第１曲面部３２の端部）を結束コイルや結束線によって菱形金網２２に固定しても良い。
【００１９】
本発明による緑化工法では、法枠２８内に載置された網状体３１に植物生育用の植生材４１を客土する。植生材４１は、有機堆肥や化学肥料、植物性繊維、保水剤、土壌改良剤等を混合した植生基盤材であり、植物種子を混合させることもできる。植生材４１は法枠２８内に吹き付けられ、法枠２８内に植栽層４５を形成する。植生材４１は、網状体３１の部位ではその網目から網状体内に入り込み、図２に示すように植生材収容部４４内に堆積する。すなわち、第１曲面部３２の部位は植栽層４５が植生材収容部４４の分だけ厚く形成され、根張りが必要な樹木を移植することも可能となる。そこで、植込孔４３から植物苗４２を挿入し植生材収容部４４内に植え付け、植生材４１に混入された植物種子と共に、法面２１の緑化が図られる。
【００２０】
植生材収容部４４内に堆積した植生材４１は、網状体３１によって保持されるため、法面２１の傾斜が急な場合でも流亡しにくく、植物苗４２を安定的に定着させることができる。このため、樹木による法面緑化を容易かつ効果的に行うことができ、法面２１の早期安定緑化が可能となる。また、網状体３１は、法面２１上への載置とアンカーピン３６による固定のみにて取り付け可能なため施工が容易であり、工数を削減し工期の短縮を図ることが可能となる。さらに、網状体３１はその下辺３７が横枠３８にて支持されると共に、上辺３４が法面２１に固定され、しかも、植生材収容部４４が曲面状となっているため、強度的にも強く比較的大量の植生材４１を植生材収容部４４内にて保持することができる。従って、根張りを要する樹木を法面２１上に移植することができ、法面緑化を効果的に行うことが可能となる。
【００２１】
（実施の形態２）
次に、本発明の実施の形態２である法面緑化工法について説明する。図５は本発明の実施の形態２である法面緑化工法を適用した法面の状態を示す説明図、図６は図５の法面の断面図である。なお、以下の実施の形態では、実施の形態１と同様の部分、部材については同一の符号を付し、その説明は省略する。
【００２２】
当該実施の形態では、法面２１の上下方向に沿った断面がＬ字形状に形成された網状体５１が使用される。網状体５１もまたエキスパンドメタルによって形成される。網状体３１は、図５，６に示すように、正面部５２と上面部５３とからなり、上面部５３には植込孔４３が形成されている。正面部５２と上面部５３との間の角度αは、法面２１の傾斜角度に応じて適宜設定され、法枠２８内に網状体５１を載置したとき上面部５３が水平となるように調整される。
【００２３】
上面部５３の端部、すなわち網状体５１の上辺５４は、図６に示すように、結束コイル５５によって法面２１上に固定される。なお、結束コイル５５に代えて、結束線によって菱形金網２２に固定しても良い。網状体５１は、実施の形態１と同様、法枠２８の横枠３８に沿って配置され、その下辺５６が横枠３８の上辺３９に接する形で載置される。法枠２８内に網状体５１を載置すると、その内側には、図６に示すように法面２１との間に植生材収容部４４が形成される。
【００２４】
網状体５１には植生材４１が客土される。植生材４１は法枠２８内に吹き付けられ植栽層４５を形成すると共に、網状体３１の部位ではその網目から網状体内に入り込み、図６に示すように植生材収容部４４内に堆積する。そして、植込孔４３から植物苗４２を植え付けることにより、植生材４１に混入された植物種子と共に法面２１の緑化が図られる。
【００２５】
この場合も、植生材４１は網状体５１によって保持され流亡が抑制されるため、植物苗４２が安定的に定着し、樹木による法面緑化が容易かつ効果的に行われ、法面２１の早期安定緑化が可能となる。また、網状体５１は、容易に法面２１上に取り付け可能なため施工が容易であり、工数を削減し工期の短縮を図ることが可能となる。さらに、網状体３１はその下辺３７が横枠３８にて支持されると共に、上辺５４が法面２１上に固定されるため、強度的にも強く比較的大量の植生材４１を植生材収容部４４内にて保持することができる。従って、根張りを要する樹木を法面２１上に移植することができ、法面緑化を効果的に行うことが可能となる。
【００２６】
（実施の形態３）
次に、本発明の実施の形態３である法面緑化工法について説明する。図７は本発明の実施の形態３である法面緑化工法を適用した法面の状態を示す説明図、図８は図７の法面の断面図である。
【００２７】
当該実施の形態では、図７，８に示すように、横枠３８に配置された枠体１の山側（上辺３９側）に位置する側網３を上方に延設して網状体６１を形成する。網状体６１は側網３と一体になっており、側網３の上部からくの字形に屈曲形成され、法面２１上に立設される。側網３と網状体６１との間の角度βは、法面２１の傾斜角度に応じて適宜設定され、枠体１を載置したとき網状体６１が鉛直となるように調整される。網状体６１の上端部は開放部６２となっており、その内側には、図８に示すように法面２１との間に植生材収容部４４が形成される。
【００２８】
網状体５１には前述同様、植生材４１が客土される。植生材４１は法枠２８内に吹き付けられ植栽層４５を形成すると共に、網状体６１の開放部６２からその内側に入り込み、図８に示すように植生材収容部４４内に堆積する。そして、開放部６２から植物苗４２を植え付けることにより、植生材４１に混入された植物種子と共に法面２１の緑化が図られる。
【００２９】
この場合も、植生材４１は網状体６１によって保持され流亡が抑制されるため、植物苗４２が安定的に定着し、樹木による法面緑化が容易かつ効果的に行われ、法面２１の早期安定緑化が可能となる。また、網状体６１は、枠体１の設置と共に法面２１上に配置されるため、施工がきわめて容易であり、工数を削減し工期の短縮を図ることが可能となる。さらに、網状体６１には比較的大量の植生材４１が保持されるため、根張りを要する樹木をも法面上に移植することができ、法面緑化を効果的に行うことが可能となる。
【００３０】
本発明は前記実施の形態に限定されるものではなく、その要旨を逸脱しない範囲で種々変更可能であることは言うまでもない。
例えば、前述の網状体３１等の寸法はあくまでも一例であり、本発明による工法が前記寸法の網状体の使用に限定されないことは言うまでもない。また、前述の実施の形態では、網状体３１等をエキスパンドメタルにて形成した例を示したが、これをクリンプ金網や溶接金網、合成樹脂による成型網等を使用することも可能である。さらに、前述の実施の形態では、網状体３１，５１に植込孔４３を設けたものを示したが、植込孔４３は必ずしも設けるには及ばない。例えば、植生材４１に混入された植物種子によって緑化を図り、樹木の移植を行わない場合には植込孔４３は特に設けなくとも良い。
【００３１】
【発明の効果】
本発明の法面緑化工法によれば、法枠の横枠上辺に沿って、法面の上下方向に沿った断面が略半円形状となった曲面部を有する金属製の網状体を載置すると共に、前記曲面部内に形成される空隙に植物生育用の植生材を客土し、そこに植物苗や植物種子を植え付けるようにしたので、植生材が網状体によって保持され、法面の傾斜が急な場合でも容易に流亡することがなく、植物苗等を安定的に定着させることができる。このため、樹木による法面緑化を容易かつ効果的に行うことができ、法面の早期安定緑化が可能となる。
【００３２】
また、本発明の他の法面緑化工法によれば、法枠の横枠上辺に沿って、法面の上下方向に沿った断面がＬ字形状に形成された金属製の網状体を載置すると共に、前記曲面部内に形成される空隙に植物生育用の植生材を客土し、そこに植物苗や植物種子を植え付けるようにしたので、植生材が網状体によって保持され、法面の傾斜が急な場合でも容易に流亡することがなく、植物苗等を安定的に定着させることができる。このため、樹木による法面緑化を容易かつ効果的に行うことができ、法面の早期安定緑化が可能となる。
【００３３】
さらに、本発明の他の法面緑化工法によれば、網部材を有する枠体を格子状に設置してセメント系硬化材を打設することにより格子状の法枠が形成された法面において、枠体の横枠上辺に沿って配置された網部材を延設して法面上に金属製の網状体を立設すると共に、前記曲面部内に形成される空隙に植物生育用の植生材を客土し、そこに植物苗や植物種子を植え付けるようにしたので、植生材が網状体によって保持され、法面の傾斜が急な場合でも容易に流亡することがなく、植物苗等を安定的に定着させることができる。このため、樹木による法面緑化を容易かつ効果的に行うことができ、法面の早期安定緑化が可能となる。この場合、網状体が法枠を構成する枠体の一部によって形成されるため、網状体を法面上にきわめて容易に設置可能であり、施工工数の削減や工期の短縮を図ることも可能となる。
【図面の簡単な説明】
【図１】本発明の実施の形態１である法面緑化工法を適用した法面の状態を示す説明図である。
【図２】図１の法面の断面図である。
【図３】図１の法面の法枠構成を示す説明図である。
【図４】図３の法枠に使用される枠体の構成を示す斜視図である。
【図５】本発明の実施の形態２である法面緑化工法を適用した法面の状態を示す説明図である。
【図６】図５の法面の断面図である。
【図７】本発明の実施の形態３である法面緑化工法を適用した法面の状態を示す説明図である。
【図８】図７の法面の断面図である。
【符号の説明】
１　　枠体
２　　サポート体
３　　側網
１１　　脚部
１２　　鉄筋保持部
１３　　鉄筋保持部
１４　　鉄筋
１５　　ストッパ
２１　　法面
２２　　菱形金網
２３　　格子枠体
２６　　養生シート
２７　　モルタル
２８　　法枠
３１　　網状体
３２　　第１曲面部
３３　　第２曲面部
３４　　上辺
３５　　固定部
３６　　アンカーピン
３７　　下辺
３８　　横枠
３９　　上辺
４１　　植生材
４２　　植物苗
４３　　植込孔
４４　　植生材収容部
４５　　植栽層
５１　　網状体
５２　　正面部
５３　　上面部
５４　　上辺
５５　　結束コイル
５６　　下辺
６１　　網状体
６２　　開放部
【図１】
2004044308.tif 000003
【図２】
2004044308.tif 000004
【図３】
2004044308.tif 000005
【図４】
2004044308.tif 000006
【図５】
2004044308.tif 000007
【図６】
2004044308.tif 000008
【図７】
2004044308.tif 000009
【図８】
2004044308.tif 000010